(57)【要約】　　　（修正有）【課題】　一般的な組織的ディザ法の階調パターンを使用して、記録ヘッドの特定のノズルが集中して使用されることを防止し、画像劣化やノズルの寿命を延ばす。【解決手段】　被記録媒体に対し記録ヘッドをノズル配列方向とは異なる方向へ走査させる主走査手段と、主走査手段による記録ヘッドの先の主走査と次の主走査との間において、ノズルの配列方向へ被記録媒体を所定量Ｋ（ここで、Ｋ＝ａ×Ｌ（ａは自然数、Ｌは階調パターンのノズルの配列方向におけるサイズ）、あるいは、Ｋ＝Ｌ／ｂ（ｂは自然数））だけ搬送させる搬送手段と、画像データと複数のノズルとの対応関係をノズルの配列方向にずらす第１変更手段と、同じ階調値を示す複数の異なるドットパターンが選択的に使用されるように、使用されるドットパターンを変更する第２変更手段とを含む。【選択図】　図９
2004066821.tif 000002
【特許請求の範囲】
【請求項１】
　インクを吐出可能な複数のノズルが配列された記録ヘッドを用い、組織的ディザ法の階調パターンを用いてｎ値（ｎ≧３）化処理された画像データに基づき、夫々の階調値に対応したドットマトリクスのドットパターンにしたがって前記記録ヘッドの複数のノズルから選択的にインクを吐出することにより、被記録媒体に画像を記録するシリアルスキャン方式のインクジェット記録装置において、
　前記被記録媒体に対し前記記録ヘッドを前記ノズルの配列方向とは異なる主走査方向へ主走査させる主走査手段と、
　前記主走査手段による記録ヘッドの先の主走査と次の主走査との間において、前記ノズルの配列方向へ前記被記録媒体を所定量Ｋ（ここで、Ｋ＝ａ×Ｌ（ａは自然数、Ｌは前記階調パターンの前記ノズルの配列方向におけるサイズ）、あるいは、Ｋ＝Ｌ／ｂ（ｂは自然数））だけ搬送させる搬送手段と、
　画像データと前記複数のノズルとの対応関係を前記ノズルの配列方向にずらす第１変更手段と、
　同じ階調値を示す複数の異なるドットパターンが選択的に使用されるように、前記使用されるドットパターンを変更する第２変更手段と
　を含むことを特徴とするインクジェット記録装置。
【請求項２】
　前記第１変更手段は、前記記録ヘッドの１回目の主走査にてインクを吐出するノズルの数を減少させるように前記画像データと前記複数のノズルとの対応関係をずらすことを特徴とする請求項１に記載のインクジェット記録装置。
【請求項３】
　前記第１変更手段は、前記記録ヘッドの１回目の主走査に対応する画像データとしてインクを吐出しないデータを追加し、その追加のデータ分だけ、前記画像データと前記複数のノズルとの対応関係をずらすことを特徴とする請求項１に記載のインクジェット記録装置。
【請求項４】
　前記第１変更手段によって追加されたデータに対応するノズルは、前記記録ヘッドの１回目の主走査において前記被記録媒体の先端部の余白領域内を通過することを特徴とする請求項３に記載のインクジェット記録装置。
【請求項５】
　前記第１変更手段が画像データと前記複数のノズルとの対応関係をずらすタイミングと、前記第２変更手段が前記ドットパターンを変更するタイミングは、ページ単位、記録ジョブ単位、記録部数単位のいずれかであることを特徴とする請求項１に記載のインクジェット記録装置。
【請求項６】
　インクを吐出可能な複数のノズルが配列された記録ヘッドを用い、組織的ディザ法の階調パターンを用いてｎ値（ｎ≧３）化処理された画像データに基づき、夫々の階調値に対応したドットマトリクスのドットパターンにしたがって前記記録ヘッドの複数のノズルから選択的にインクを吐出することにより、被記録媒体に画像を記録するシリアルスキャン方式のインクジェット記録装置において、
　前記被記録媒体に対し前記記録ヘッドを前記ノズルの配列方向とは異なる主走査方向へ主走査させる主走査手段と、
　前記主走査手段による記録ヘッドの先の主走査と次の主走査との間において、前記ノズルの配列方向へ前記被記録媒体を所定量Ｋ（ここで、Ｋ＝ａ×Ｌ（ａは自然数、Ｌは前記階調パターンの前記ノズルの配列方向におけるサイズ）、あるいは、Ｋ＝Ｌ／ｂ（ｂは自然数））だけ搬送させる搬送手段と、
　同じ階調値を示す複数の異なるドットパターンが選択的に使用されるように、前記使用されるドットパターンを変更する変更手段と、
　を含み、
　前記変更手段は、主走査単位、ページ単位、記録ジョブ単位、記録部数単位のいずれかのタイミングで前記ドットパターンを変更することを特徴とするインクジェット記録装置。
【請求項７】
　インクを吐出可能な複数のノズルが配列された記録ヘッドを用い、組織的ディザ法の階調パターンを用いてｎ値（ｎ≧３）化処理された画像データに基づき、夫々の階調値に対応したドットマトリクスのドットパターンにしたがって前記記録ヘッドの複数のノズルから選択的にインクを吐出することにより、被記録媒体に画像を記録するシリアルスキャン方式のインクジェット記録装置において、
　前記被記録媒体に対し前記記録ヘッドを前記ノズルの配列方向とは異なる主走査方向へ主走査させる主走査手段と、
　前記主走査手段による記録ヘッドの先の主走査と次の主走査との間において、前記ノズルの配列方向へ前記被記録媒体を所定量Ｋ（ここで、Ｋ＝ａ×Ｌ（ａは自然数、Ｌは前記階調パターンの前記ノズルの配列方向におけるサイズ）、あるいは、Ｋ＝Ｌ／ｂ（ｂは自然数））だけ搬送させる搬送手段と、
　画像データと前記複数のノズルとの対応関係を前記ノズルの配列方向にずらす変更手段と、
　を含み、
　前記変更手段によるずらしの量は前記Ｌ未満であることを特徴とするインクジェット記録装置。
【請求項８】
　前記変更手段は、前記記録ヘッドの１回目の主走査にてインクを吐出するノズルの数を減少させるように前記画像データと前記複数のノズルとの対応関係をずらすことを特徴とする請求項７に記載のインクジェット記録装置。
【請求項９】
　前記変更手段は、前記記録ヘッドの１回目の主走査目に対応する画像データとしてインクを吐出しないデータを追加し、その追加のデータ分だけ、前記画像データと前記複数のノズルとの対応関係をずらすことを特徴とする請求項７に記載のインクジェット記録装置。
【請求項１０】
　前記変更手段が画像データと前記複数のノズルとの対応関係をずらすタイミングは、ページ単位、記録ジョブ単位、記録部数単位のいずれかであることを特徴とする請求項７に記載のインクジェット記録装置。
【請求項１１】
　同じ階調値を示す複数の異なるドットパターンが選択的に使用されるように、前記使用されるドットパターンを変更するドットパターン変更手段を更に備えることを特徴とする請求項７に記載のインクジェット記録装置。
【請求項１２】
　前記ドットパターン変更手段が前記ドットパターンを変更するタイミングは、主走査単位、ページ単位、記録ジョブ単位、記録部数単位のいずれかであることを特徴とする請求項１１に記載のインクジェット記録装置。
【請求項１３】
　インクを吐出可能な複数のノズルが配列された記録ヘッドを用い、組織的ディザ法の階調パターンを用いてｎ値（ｎ≧３）化処理された画像データに基づき、夫々の階調値に対応したドットマトリクスのドットパターンにしたがって前記記録ヘッドの複数のノズルから選択的にインクを吐出することにより、被記録媒体に画像を記録するシリアルスキャン方式のインクジェット記録装置において、
　前記被記録媒体に対し前記記録ヘッドを前記ノズルの配列方向とは異なる主走査方向へ主走査させる主走査手段と、
　前記主走査手段による記録ヘッドの先の主走査と次の主走査との間において、前記ノズルの配列方向へ前記被記録媒体を所定量Ｋ（ここで、Ｋ＝ａ×Ｌ（ａは自然数、Ｌは前記階調パターンの前記ノズルの配列方向におけるサイズ）、あるいは、Ｋ＝Ｌ／ｂ（ｂは自然数））だけ搬送させる搬送手段と、
　画像データと前記複数のノズルとの対応関係を前記ノズルの配列方向にずらす第１変更手段と、
　同じ階調値を示す複数の異なるドットパターンが選択的に使用されるように、前記使用されるドットパターンを変更する第２変更手段と、
　を含み、
　前記第１変更手段は、前記記録ヘッドの１回目の主走査に対応する画像データとしてインクを吐出しないデータを追加し、その追加のデータ分だけ、前記画像データと前記複数のノズルとの対応関係をずらし、
　前記第１変更手段が画像データと前記複数のノズルとの対応関係をずらすタイミングと、前記第２変更手段が前記ドットパターンを変更するタイミングは、ページ単位、記録ジョブ単位、記録部数単位のいずれかであることを特徴とするインクジェット記録装置。
【請求項１４】
　インクを吐出可能な複数のノズルが配列された記録ヘッドを用い、組織的ディザ法の階調パターンを用いてｎ値（ｎ≧３）化処理された画像データに基づき、夫々の階調値に対応したドットマトリクスのドットパターンにしたがって前記記録ヘッドの複数のノズルから選択的にインクを吐出することにより、被記録媒体に画像を記録するシリアルスキャン方式のインクジェット記録方法において、
　前記被記録媒体に対し前記記録ヘッドを前記ノズルの配列方向とは異なる主走査方向へ主走査させる主走査工程と、
　前記記録ヘッドの先の主走査と次の主走査との間において、前記ノズルの配列方向へ前記被記録媒体を所定量Ｋ（ここで、Ｋ＝ａ×Ｌ（ａは自然数、Ｌは前記階調パターンの前記ノズルの配列方向におけるサイズ）、あるいは、Ｋ＝Ｌ／ｂ（ｂは自然数））だけ搬送させる搬送工程と、
　画像データと前記複数のノズルとの対応関係を前記ノズルの配列方向にずらす第１変更工程と、
　同じ階調値を示す複数の異なるドットパターンが選択的に使用されるように、前記使用されるドットパターンを変更する第２変更工程と、
　を含むことを特徴とするインクジェット記録方法。
【請求項１５】
　インクを吐出可能な複数のノズルが配列された記録ヘッドを用い、組織的ディザ法の階調パターンを用いてｎ値（ｎ≧３）化処理された画像データに基づき、夫々の階調値に対応したドットマトリクスのドットパターンにしたがって前記記録ヘッドの複数のノズルから選択的にインクを吐出することにより、被記録媒体に画像を記録するシリアルスキャン方式のインクジェット記録方法において、
　前記被記録媒体に対し前記記録ヘッドを前記ノズルの配列方向とは異なる主走査方向へ主走査させる主走査工程と、
　前記記録ヘッドの先の主走査と次の主走査との間において、前記ノズルの配列方向へ前記被記録媒体を所定量Ｋ（ここで、Ｋ＝ａ×Ｌ（ａは自然数、Ｌは前記階調パターンの前記ノズルの配列方向におけるサイズ）、あるいは、Ｋ＝Ｌ／ｂ（ｂは自然数））だけ搬送させる搬送工程と、
　同じ階調値を示す複数の異なるドットパターンが選択的に使用されるように、前記使用されるドットパターンを変更する変更工程と、
　を含み、
　前記変更工程は、主走査単位、ページ単位、記録ジョブ単位、記録部数単位のいずれかのタイミングで前記ドットパターンを変更することを特徴とするインクジェット記録方法。
【請求項１６】
　インクを吐出可能な複数のノズルが配列された記録ヘッドを用い、組織的ディザ法の階調パターンを用いてｎ値（ｎ≧３）化処理された画像データに基づき、夫々の階調値に対応したドットマトリクスのドットパターンにしたがって前記記録ヘッドの複数のノズルから選択的にインクを吐出することにより、被記録媒体に画像を記録するシリアルスキャン方式のインクジェット記録方法において、
　前記被記録媒体に対し前記記録ヘッドを前記ノズルの配列方向とは異なる主走査方向へ主走査させる主走査工程と、
　前記記録ヘッドの先の主走査と次の主走査との間において、前記ノズルの配列方向へ前記被記録媒体を所定量Ｋ（ここで、Ｋ＝ａ×Ｌ（ａは自然数、Ｌは前記階調パターンの前記ノズルの配列方向におけるサイズ）、あるいは、Ｋ＝Ｌ／ｂ（ｂは自然数））だけ搬送させる搬送工程と、
　画像データと前記複数のノズルとの対応関係を前記ノズルの配列方向にずらす変更工程と、
　を含み、
　前記ずらしの量は前記Ｌ未満であることを特徴とするインクジェット記録方法。
【請求項１７】
　インクを吐出可能な複数のノズルが配列された記録ヘッドを用い、組織的ディザ法の階調パターンを用いてｎ値（ｎ≧３）化処理された画像データに基づき、夫々の階調値に対応したドットマトリクスのドットパターンにしたがって前記記録ヘッドの複数のノズルから選択的にインクを吐出することにより、被記録媒体に画像を記録するシリアルスキャン方式のインクジェット記録方法において、
　前記被記録媒体に対し前記記録ヘッドを前記ノズルの配列方向とは異なる主走査方向へ主走査させる主走査工程と、
　前記記録ヘッドの先の主走査と次の主走査との間において、前記ノズルの配列方向へ前記被記録媒体を所定量Ｋ（ここで、Ｋ＝ａ×Ｌ（ａは自然数、Ｌは前記階調パターンの前記ノズルの配列方向におけるサイズ）、あるいは、Ｋ＝Ｌ／ｂ（ｂは自然数））だけ搬送させる搬送工程と、
　画像データと前記複数のノズルとの対応関係を前記ノズルの配列方向にずらす第１変更工程と、
　同じ階調値を示す複数の異なるドットパターンが選択的に使用されるように、前記使用されるドットパターンを変更する第２変更工程と、
　を含み、
　前記第１変更工程は、前記記録ヘッドの第１回目の主走査に対応する画像データとしてインクを吐出しないデータを追加し、その追加のデータ分だけ、前記画像データと前記複数のノズルとの対応関係をずらし、
　前記第１変更工程によって画像データと前記複数のノズルとの対応関係をずらすタイミングと、前記第２変更工程によって前記ドットパターンを変更するタイミングは、ページ単位、記録ジョブ単位、記録部数単位のいずれかであることを特徴とするインクジェット記録方法。
【請求項１８】
　請求項１７のインクジェット記録方法の前記第１変更工程と前記第２変更工程とをコンピュータに実行させることを特徴とするプログラム。
【発明の詳細な説明】
【技術分野】
【０００１】
　本発明は、組織的ディザ法の階調パターンと、ドット配置情報が格納されたドットパターンと、を用いて記録を行うためのインクジェット記録装置、インクジェット記録方法、プログラム、および記憶媒体に関するものである。
【背景技術】
【０００２】
　インクジェット記録装置は、インクジェット記録ヘッド（以下、「記録ヘッド」という）のノズルを構成するインク吐出口からインク液滴を吐出させ、そのインクを被記録媒体上に付着させることによって画像を記録する。記録ヘッドにおけるインクの吐出方式の１つとしては、吐出口近傍に配備した発熱素子（電気熱変換体）に電気信号を印加することにより、インクに急峻な体積変化（気泡の発生）を伴う状態変化を生じさせ、この状態変化に基づく作用力によって、吐出口からインクを吐出させる方式がある。また、インクの吐出方式の他の１つとしては、圧電素子等（電気・機械変換素子）を用い、機械的変動によるインクの圧力変化によって、吐出口からインクを吐出させる方式がある。また、記録方式としては、記録ヘッドが主走査方向に移動しながらインクを吐出する記録動作と、被記録媒体を主走査方向と交差する副走査方向に所定量搬送する搬送動作と、を交互に繰り返すことによって被記録媒体上に画像を記録するシリアルスキャン方式がある。
【０００３】
　このような記録ヘッドを用いたシリアルスキャン方式のインクジェット記録装置は、品位の高い画像を高速、低騒音で記録することができると共に、その記録ヘッドに複数の吐出口を副走査方向に沿って高密度に配列することができる。そのため、被記録媒体のサイズの割には小型の記録装置で高解像度の記録画像、白黒画像のみならず、カラー画像をも容易に得ることができるなど多くの優れた点を有している。記録ヘッドは、複数の記録素子を集積配列すべく、ノズルを構成するインク吐出口及びインク液路を複数集積していわゆるマルチノズル化することができる。また、カラー画像を記録する場合には、一般的に、マルチノズル化した記録ヘッドが複数備えられる。
【０００４】
　しかしながら、記録画像の高解像度化に伴い、記録装置内で処理すべきデータのサイズが膨大な量となる。そのため、画像処理部とインクジェット記録部とからなるプリントシステムにおいては、画像処理部におけるデータ処理速度、あるいは、画像処理部からインクジェット記録部に転送するときのデータ転送速度がネックとなり、システム全体のスループットの大幅な低下を招くおそれがある。また、記録画像の高解像度化に伴い、インクジェット記録装置本体で必要とされるデータ格納用のメモリ容量も増加しなければならず、記録装置のコストアップを招くおそれもある。
【０００５】
　そこで、近年のインクジェット記録装置では、画像処理部から、比較的低解像度かつ多値の量子化処理を施した画像データ（以下、「高量子化された画像データ」とも称する）をインクジェット記録部に転送し、インクジェット記録部においては、受信した低解像度かつ高量子化された画像データを所定のマトリクスに展開して記録（ドットマトリクス記録）を行っている。
【０００６】
　画像処理部における多値の量子化処理、すなわち、ｎ値（ｎ≧３）化手法の代表的なものの１つとしては、組織的ディザ法がある。組織的ディザ法は、入力画素に無関係なしきい値を規則的に配分したマトリクスをディザマトリクスとし、このディザマトリクスを縦方向と横方向において繰り返し用いる。そして、入力画素と、それに対応するディザマトリクス上のしきい値とにより、入力画像の階調をｎ値（ｎ≧３）化するものである。一般的に使用されてきた組織的ディザ法の規則的なしきい値の配列（以下、「階調パターン」ともいう）には、ドット分散型とドット集中型とがある。
【０００７】
　図１３に、２５６階調を表す代表的なドット分散型（ベイヤ−タイプ）の階調パターンを示す。この階調パターンは８×８のマトリクスである。インクジェット記録部には、ｎ値（ｎ≧３）化された階調値に対応したドットマトリクスがあり、そのドットマトリクスには予め定められた複数のドットパターンが格納されている。図１４（ａ）〜（ｅ）に、５値化された階調値「０」〜「４」に対応するように、２×２画素のサイズのドットマトリクスに定められたドットパターンの例を示す。
【０００８】
　例えば、画像処理部における多値の量子化処理により、画像データを３００ＤＰＩ（横）×３００ＤＰＩ（縦）の解像度で９値（４ｂｉｔ）に量子化し、インクジェット記録部において、その量子化された画像データを１２００ＤＰＩ（横）×６００ＤＰＩ（縦）の４×２のマトリクスに展開して記録を行う場合を考える。その場合、画像処理部における処理は比較的低解像度の３００ＤＰＩの量子化処理であり、比較的高解像度の１２００ＤＰＩの量子化処理に比べて、画像処理部の負荷が低減される。また、解像度３００ＤＰＩの４ｂｉｔの画像データの１つは、６００×６００ＤＰＩの１ビットの画像データの４つ分に相当し、また１２００×６００ＤＰＩの１ビットの画像データの８つ分に相当する。そのため、画像処理部からインクジェット記録部へのデータ転送量は、インクジェット記録部が６００×６００ＤＰＩのマトリクスに展開して記録を行う場合よりも半分ですむことになる。
【０００９】
　また、特許文献１には、図１４（ｂ）のような階調値「１」のドットパターンとして、２×２のドットマトリックス中における１ドットの位置が異なる複数のドットパターンを用意し、用いるドットパターンを順次変更する構成が記載されている。同様に、図１４（ｃ），（ｄ）のような階調値「２」，「３」のドットパターンも複数ずつ用意され、用いるドットパターンが順次変更される。用いるドットパターンは、１記録走査中においてシーケンシャルに変更されたり、画像の記録位置に応じて変更されたり、あるいはランダムに変更される。
【００１０】
【特許文献１】特開平９−４６５２２号公報
【発明の開示】
【発明が解決しようとする課題】
【００１１】
　しかしながら、組織的ディザ法を用いた上記の従来のシリアルスキャン方式のインクジェット記録装置において、長期に渡って画像を記録する場合の記録ヘッドの耐久性を検討した結果、記録ヘッドの複数のノズルにおいて、耐久性に対する悪影響がある周期性をもって現れることが分かった。
【００１２】
　以下、添付図面を参照して、そのノズルに対する悪影響の周期性について説明する。
【００１３】
　インクジェット記録装置として、例えば、熱エネルギーを利用してインクを発泡させてインク滴を吐出させる方式の記録ヘッドを用いる記録装置では、インクを吐出可能な記録ヘッドにおける複数のノズルの内、特に、長時間の記録により集中的にインクを吐出したノズルに関しては、そのノズルを用いて記録される画像の品位が劣化する傾向がある。その原因としては、インクに対して熱エネルギーを供給するための電気熱変換体であるヒータ面上に、熱によってインク中の染料や不純物が凝固して堆積することが考えられる。
【００１４】
　上記従来例において、組織的ディザ法を用いて長期に渡って画像を記録した結果、記録ヘッドの全てのノズルが均一に劣化せずに、図１５に示すように、ノズルの並び方向（図中の上下方向）において、インクの吐出不良などの劣化ノズルがある周期性をもって現れた。これは、ある周期性をもった固定のパターンに対応するノズルに関して、その使用（インク吐出）頻度が偏ったためである。図１５の場合、ある周期とは、組織的ディザ法の階調パターンのサイズに対応する１６ノズル周期であった。
【００１５】
　その原因は、組織的ディザ法の階調パターンが、画像データの存在する領域内において縦方向と横方向に繰り返して利用されるため、その組織的ディザ法の階調パターンが画像データに対して常に固定の位置関係になるからである。また、他の原因は、記録ヘッドが横方向（主走査方向）に記録走査する前後において、記録ヘッドと被記録媒体とが縦方向（副走査方向）に相対移動する移動量が階調パターンのサイズの整数倍（あるいは、階調パターンのサイズが、記録走査と記録走査との間にて縦方向に相対移動する記録ヘッドの移動量に相当するノズル数の整数倍）となるために、階調パターンと記録ヘッドのノズル位置との関係が固定されるからである。
【００１６】
　さらに、組織的ディザ法の階調パターンによるｎ値（ｎ≧３）化した画像データには、それに対応したドットマトリクスのドットパターンが用いられるため、そのドットパターンによるノズルの使用（インク吐出）頻度の偏りも発生するおそれがある。
【００１７】
　例えば、図１３に示す階調パターンと、図１４に示すドットパターンを用いて、ハーフトーン濃度（デューティー５％、１０％、１５％、２５％）の画像を記録した時に使用されるノズルの使用（インク吐出）頻度を図１０（ｂ）〜（ｆ）に示す。ここでは、問題点の特徴を目立たせるために、図１０（ａ）のように、２×２のドットマトリクスに１ドット配置したドットパターンを用いた。ノズルの使用（インク吐出）頻度は、図１３に示した組織的ディザ法の階調パターンのサイズに応じた周期性をもって現れる。そのため、図１０（ｂ）〜（ｆ）におけるノズル使用（インク吐出）頻度を表す回数は、図１３の階調パターン（８×８）によって、１６×１６ドットの領域を記録した際に使用されたノズルの使用回数（確率）となる。例えば、図１０（ｂ）のようにデューティー５％の画像を記録する場合には、図１７に示すように、図１３の階調パターン（８×８）と記録領域（１６×１６ドット）と記録ヘッドの使用ノズルとの関係から、ノズル番号１，９のノズルの使用回数が２回となる。
【００１８】
　このような図１０（ｂ）〜（ｆ）の従来例においては、図１０（ａ）のように２×２のドットマトリクスの左上に１ドットが位置するパターンのみを固定的に使用する。そのため、ハーフトーン濃度を高くしても、図１０（ｆ）のようにノズル使用頻度は１ノズルおきに均一となるだけであり、ノズル番号が奇数のノズルしか使用されない。その結果、使用頻度が高い特定ノズルの劣化が記録画像に強く反映されてしまう。ノズルの劣化は、例えば、ヨレと称されるインクの吐出方向のばらつきや、ショボと称されるインクの吐出量のばらつきや、遂にはインクの不吐出などを招く。
【００１９】
　また、インクの吐出不良などの劣化ノズルが高い周期性をもって現れるときには、ノズル数Ｌとノズル数Ｋの一方が他方の整数倍、つまりＫ＝Ｌ×ａ（ａは自然数）、あるいは、Ｌ＝Ｋ×ｂ（ｂは自然数）の関係が成り立つ。Ｋは、記録ヘッドの前後の記録走査間における被記録媒体の搬送量に対応する記録ヘッドのノズル数である。つまり、記録ヘッドの主走査方向における記録走査と、副走査方向（ノズルの配列方向に沿う方向）における被記録媒体の搬送と、を交互に繰り返すシリアルスキャン方式のインクジェット記録装置において、後者の被記録媒体の搬送量に相当する記録ヘッドのノズル数がＫである。また、Ｌは、ノズルの配列方向における組織的ディザ法の階調パターンのサイズであり、ノズル数に対応する。
【００２０】
　例えば、副走査方向に沿って１２８０ノズルが配列された記録ヘッドを用い、その１２８０ノズル分ずつ被記録媒体を間欠的に搬送して記録を行う場合には、Ｋ＝１２８０となる。その場合に、図１３のような階調パターン、つまり図１７のようにノズルの配列方向におけるノズル数に対応するサイズＬが１６の階調パターンを用いたときは、Ｋ＝Ｌ×８０となり、図１５のように高い周期性をもって劣化ノズルが現れることになる。逆に、階調パターンのサイズＬがＫよりも大きい場合に、Ｌ＝Ｋ×ｂ（ｂは自然数）となるときにも同様の周期性をもって劣化ノズルが現れることになる。
【００２１】
　本発明の目的は、一般的な組織的ディザ法の階調パターンに対応するドットパターンを用いる単純な構成によって、記録ヘッドの特定のノズルが集中して使用されることを防止し、画像劣化やノズル自身の寿命を延ばして、長期間安定した記録を行うことが可能なインクジェット記録装置、インクジェット記録方法、およびプログラムを提供することにある。
【課題を解決するための手段】
【００２２】
　本発明のインクジェット記録装置は、インクを吐出可能な複数のノズルが配列された記録ヘッドを用い、組織的ディザ法の階調パターンを用いてｎ値（ｎ≧３）化処理された画像データに基づき、夫々の階調値に対応したドットマトリクスのドットパターンにしたがって前記記録ヘッドの複数のノズルから選択的にインクを吐出することにより、被記録媒体に画像を記録するシリアルスキャン方式のインクジェット記録装置において、前記被記録媒体に対し前記記録ヘッドを前記ノズルの配列方向とは異なる主走査方向へ主走査させる主走査手段と、前記主走査手段による記録ヘッドの先の主走査と次の主走査との間において、前記ノズルの配列方向へ前記被記録媒体を所定量Ｋ（ここで、Ｋ＝ａ×Ｌ（ａは自然数、Ｌは前記階調パターンの前記ノズルの配列方向におけるサイズ）、あるいは、Ｋ＝Ｌ／ｂ（ｂは自然数））だけ搬送させる搬送手段と、画像データと前記複数のノズルとの対応関係を前記ノズルの配列方向にずらす第１変更手段と、同じ階調値を示す複数の異なるドットパターンが選択的に使用されるように、前記使用されるドットパターンを変更する第２変更手段とを含むことを特徴とする。
【００２３】
　本発明のインクジェット記録装置は、インクを吐出可能な複数のノズルが配列された記録ヘッドを用い、組織的ディザ法の階調パターンを用いてｎ値（ｎ≧３）化処理された画像データに基づき、夫々の階調値に対応したドットマトリクスのドットパターンにしたがって前記記録ヘッドの複数のノズルから選択的にインクを吐出することにより、被記録媒体に画像を記録するシリアルスキャン方式のインクジェット記録装置において、前記被記録媒体に対し前記記録ヘッドを前記ノズルの配列方向とは異なる主走査方向へ主走査させる主走査手段と、前記主走査手段による記録ヘッドの先の主走査と次の主走査との間において、前記ノズルの配列方向へ前記被記録媒体を所定量Ｋ（ここで、Ｋ＝ａ×Ｌ（ａは自然数、Ｌは前記階調パターンの前記ノズルの配列方向におけるサイズ）、あるいは、Ｋ＝Ｌ／ｂ（ｂは自然数））だけ搬送させる搬送手段と、同じ階調値を示す複数の異なるドットパターンが選択的に使用されるように、前記使用されるドットパターンを変更する変更手段と、を含み、前記変更手段は、主走査単位、ページ単位、記録ジョブ単位、記録部数単位のいずれかのタイミングで前記ドットパターンを変更することを特徴とする。
【００２４】
　本発明のインクジェット記録装置は、インクを吐出可能な複数のノズルが配列された記録ヘッドを用い、組織的ディザ法の階調パターンを用いてｎ値（ｎ≧３）化処理された画像データに基づき、夫々の階調値に対応したドットマトリクスのドットパターンにしたがって前記記録ヘッドの複数のノズルから選択的にインクを吐出することにより、被記録媒体に画像を記録するシリアルスキャン方式のインクジェット記録装置において、前記被記録媒体に対し前記記録ヘッドを前記ノズルの配列方向とは異なる主走査方向へ主走査させる主走査手段と、前記主走査手段による記録ヘッドの先の主走査と次の主走査との間において、前記ノズルの配列方向へ前記被記録媒体を所定量Ｋ（ここで、Ｋ＝ａ×Ｌ（ａは自然数、Ｌは前記階調パターンの前記ノズルの配列方向におけるサイズ）、あるいは、Ｋ＝Ｌ／ｂ（ｂは自然数））だけ搬送させる搬送手段と、画像データと前記複数のノズルとの対応関係を前記ノズルの配列方向にずらす変更手段と、を含み、前記変更手段によるずらしの量は前記Ｌ未満であることを特徴とする。
【００２５】
　本発明のインクジェット記録装置は、インクを吐出可能な複数のノズルが配列された記録ヘッドを用い、組織的ディザ法の階調パターンを用いてｎ値（ｎ≧３）化処理された画像データに基づき、夫々の階調値に対応したドットマトリクスのドットパターンにしたがって前記記録ヘッドの複数のノズルから選択的にインクを吐出することにより、被記録媒体に画像を記録するシリアルスキャン方式のインクジェット記録装置において、前記被記録媒体に対し前記記録ヘッドを前記ノズルの配列方向とは異なる主走査方向へ主走査させる主走査手段と、前記主走査手段による記録ヘッドの先の主走査と次の主走査との間において、前記ノズルの配列方向へ前記被記録媒体を所定量Ｋ（ここで、Ｋ＝ａ×Ｌ（ａは自然数、Ｌは前記階調パターンの前記ノズルの配列方向におけるサイズ）、あるいは、Ｋ＝Ｌ／ｂ（ｂは自然数））だけ搬送させる搬送手段と、画像データと前記複数のノズルとの対応関係を前記ノズルの配列方向にずらす第１変更手段と、同じ階調値を示す複数の異なるドットパターンが選択的に使用されるように、前記使用されるドットパターンを変更する第２変更手段と、を含み、前記第１変更手段は、前記記録ヘッドの１回目の主走査に対応する画像データとしてインクを吐出しないデータを追加し、その追加のデータ分だけ、前記画像データと前記複数のノズルとの対応関係をずらし、前記第１変更手段が画像データと前記複数のノズルとの対応関係をずらすタイミングと、前記第２変更手段が前記ドットパターンを変更するタイミングは、ページ単位、記録ジョブ単位、記録部数単位のいずれかであることを特徴とする。
【００２６】
　本発明のインクジェット記録方法は、インクを吐出可能な複数のノズルが配列された記録ヘッドを用い、組織的ディザ法の階調パターンを用いてｎ値（ｎ≧３）化処理された画像データに基づき、夫々の階調値に対応したドットマトリクスのドットパターンにしたがって前記記録ヘッドの複数のノズルから選択的にインクを吐出することにより、被記録媒体に画像を記録するシリアルスキャン方式のインクジェット記録方法において、前記被記録媒体に対し前記記録ヘッドを前記ノズルの配列方向とは異なる主走査方向へ主走査させる主走査工程と、前記記録ヘッドの先の主走査と次の主走査との間において、前記ノズルの配列方向へ前記被記録媒体を所定量Ｋ（ここで、Ｋ＝ａ×Ｌ（ａは自然数、Ｌは前記階調パターンの前記ノズルの配列方向におけるサイズ）、あるいは、Ｋ＝Ｌ／ｂ（ｂは自然数））だけ搬送させる搬送工程と、画像データと前記複数のノズルとの対応関係を前記ノズルの配列方向にずらす第１変更工程と、同じ階調値を示す複数の異なるドットパターンが選択的に使用されるように、前記使用されるドットパターンを変更する第２変更工程と、を含むことを特徴とする。
【００２７】
　本発明のインクジェット記録方法は、インクを吐出可能な複数のノズルが配列された記録ヘッドを用い、組織的ディザ法の階調パターンを用いてｎ値（ｎ≧３）化処理された画像データに基づき、夫々の階調値に対応したドットマトリクスのドットパターンにしたがって前記記録ヘッドの複数のノズルから選択的にインクを吐出することにより、被記録媒体に画像を記録するシリアルスキャン方式のインクジェット記録方法において、前記被記録媒体に対し前記記録ヘッドを前記ノズルの配列方向とは異なる主走査方向へ主走査させる主走査工程と、前記記録ヘッドの先の主走査と次の主走査との間において、前記ノズルの配列方向へ前記被記録媒体を所定量Ｋ（ここで、Ｋ＝ａ×Ｌ（ａは自然数、Ｌは前記階調パターンの前記ノズルの配列方向におけるサイズ）、あるいは、Ｋ＝Ｌ／ｂ（ｂは自然数））だけ搬送させる搬送工程と、同じ階調値を示す複数の異なるドットパターンが選択的に使用されるように、前記使用されるドットパターンを変更する変更工程と、を含み、前記変更工程は、主走査単位、ページ単位、記録ジョブ単位、記録部数単位のいずれかのタイミングで前記ドットパターンを変更することを特徴とする。
【００２８】
　本発明のインクジェット記録方法は、インクを吐出可能な複数のノズルが配列された記録ヘッドを用い、組織的ディザ法の階調パターンを用いてｎ値（ｎ≧３）化処理された画像データに基づき、夫々の階調値に対応したドットマトリクスのドットパターンにしたがって前記記録ヘッドの複数のノズルから選択的にインクを吐出することにより、被記録媒体に画像を記録するシリアルスキャン方式のインクジェット記録方法において、前記被記録媒体に対し前記記録ヘッドを前記ノズルの配列方向とは異なる主走査方向へ主走査させる主走査工程と、前記記録ヘッドの先の主走査と次の主走査との間において、前記ノズルの配列方向へ前記被記録媒体を所定量Ｋ（ここで、Ｋ＝ａ×Ｌ（ａは自然数、Ｌは前記階調パターンの前記ノズルの配列方向におけるサイズ）、あるいは、Ｋ＝Ｌ／ｂ（ｂは自然数））だけ搬送させる搬送工程と、画像データと前記複数のノズルとの対応関係を前記ノズルの配列方向にずらす変更工程と、を含み、前記ずらしの量は前記Ｌ未満であることを特徴とする。
【００２９】
　本発明のインクジェット記録方法は、インクを吐出可能な複数のノズルが配列された記録ヘッドを用い、組織的ディザ法の階調パターンを用いてｎ値（ｎ≧３）化処理された画像データに基づき、夫々の階調値に対応したドットマトリクスのドットパターンにしたがって前記記録ヘッドの複数のノズルから選択的にインクを吐出することにより、被記録媒体に画像を記録するシリアルスキャン方式のインクジェット記録方法において、前記被記録媒体に対し前記記録ヘッドを前記ノズルの配列方向とは異なる主走査方向へ主走査させる主走査工程と、前記記録ヘッドの先の主走査と次の主走査との間において、前記ノズルの配列方向へ前記被記録媒体を所定量Ｋ（ここで、Ｋ＝ａ×Ｌ（ａは自然数、Ｌは前記階調パターンの前記ノズルの配列方向におけるサイズ）、あるいは、Ｋ＝Ｌ／ｂ（ｂは自然数））だけ搬送させる搬送工程と、画像データと前記複数のノズルとの対応関係を前記ノズルの配列方向にずらす第１変更工程と、同じ階調値を示す複数の異なるドットパターンが選択的に使用されるように、前記使用されるドットパターンを変更する第２変更工程と、を含み、前記第１変更工程は、前記記録ヘッドの第１回目の主走査に対応する画像データとしてインクを吐出しないデータを追加し、その追加のデータ分だけ、前記画像データと前記複数のノズルとの対応関係をずらし、前記第１変更工程によって画像データと前記複数のノズルとの対応関係をずらすタイミングと、前記第２変更工程によって前記ドットパターンを変更するタイミングは、ページ単位、記録ジョブ単位、記録部数単位のいずれかであることを特徴とする。
【００３０】
　本発明のプログラムは、本発明のインクジェット記録方法の前記第１変更工程と前記第２変更工程とをコンピュータに実行させることを特徴とする。
【発明の効果】
【００３１】
　本発明によれば、従来より一般的に用いられている組織的ディザ法の階調パターンとドットパターンを用い、記録ヘッドにおける複数のノズルとの対応関係において画像データをノズルの配列方向にずらし、および／またはドットパターンを変更することにより、記録ヘッドにおける全ノズルの使用頻度を均等化させることができる。
【００３２】
　この結果、特定の階調値の記録画像に対して、特定のノズルの特性が強く反映することを回避することができる。また、特定ノズルの劣化による記録画質劣化の発生を低減することができる。ノズルが劣化した場合には、例えば、ヨレと称されるインクの吐出方向のばらつきや、ショボと称されるインクの吐出量のばらつきや、遂にはインクの不吐出などが生じるおそれがある。
【発明を実施するための最良の形態】
【００３３】
　以下、添付図面を参照して本発明の好適な実施形態について詳細に説明する。
【００３４】
　図１は、本発明の代表的な実施形態である画像処理システムの概略構成を示すブロック図である。図１において、３０は画像入力部であり、スキャナやデジタルカメラ等の画像入力機器からの多値画像データやハードディスク等の各種記録媒体に保存されている多値画像データを入力する。３１は画像処理部であり、画像入力部３０より入力された多値画像データに後述する画像処理を施してｎ値画像データに変換する。３２は画像出力部であり、画像処理部３１にて変換されたｎ値画像データを入力して画像形成を行う。なお図示はしていないが、このシステムを構成する各部には、各部自身の動作及び他の部との連携動作を制御するＣＰＵや、そのＣＰＵが実行する制御プログラムを格納したＲＯＭ、また、その制御プログラムを実行するための作業領域として用いられるＲＡＭなどが搭載されている。
【００３５】
　図２は、画像出力部３２の代表例であるインクジェット記録装置の概略構成を示す外観斜視図である。
【００３６】
　図２において、１１はキャリッジであり、記録ヘッドとインクを貯留するインクタンクとが一体となったヘッドカートリッジが着脱可能に搭載される。１２は、キャリッジ１１を矢印Ｘの主走査方向に往復移動させるキャリッジモータ、４は、キャリッジモータ１２の駆動力をキャリッジ１１に伝えるベルト、６は、キャリッジ１１を主走査方向に移動可能に支えるガイドシャフトである。ベルト４は、プーリ５ａ，５ｂの間に架け渡される。１３は、後述する制御部からの電気信号を記録ヘッドに転送するためのフレキシブルケーブル、１５は、被記録媒体（例えば、記録用紙）を積層状態で蓄えるカセット、１６は、キャリッジ１１の位置を光学的に読み取るためのエンコーダ１６である。カセット１５内の被記録媒体は、図示しない搬送機構によって、主走査方向と交差する矢印Ｙの副走査方向に搬送される。
【００３７】
　１４１および１４３は、記録ヘッドの回復処理を行うために用いられるキャップおよびワイパブレードである。回復処理としては、記録ヘッドのインクの吐出状態を良好に保つための処理であり、吐出回復処理、吸引回復処理、ワイピングなどを含むことができる。吐出回復処理は、記録ヘッドの吐出口から画像の記録に寄与しないインクをキャップ１４１に吐出する回復処理である。吸引回復処理は、記録ヘッドの吐出口をキャッピングしているキャップ１４１内に負圧を導入して、記録ヘッドの吐出口からインクを吸引排出させる回復処理である。ワイピングは、ワイパブレード１４３によって、記録ヘッドにおける吐出口の形成面をワイピングする処理である。これらのキャッピング、ワイピング（クリーニング）、吸引回復は、キャリッジ１１が所定のホームポジション側の領域に移動した時に行う他、周知のタイミングで行うこともできる。
【００３８】
　次に、このような記録装置の制御系の構成について説明する。
【００３９】
　図３は、記録装置の制御回路の概略構成を示すブロック図である。同図において、１７００は記録信号を入力するインターフェイス、１７０１はＣＰＵ、１７０２はＣＰＵ１７０１が実行する制御プログラムやエラー処理プログラムなどを格納するＲＯＭ、１７０３は各種データ（上記記録信号や記録ヘッド２２に供給される記録データ等）を一時保存しておくＲＡＭである。１７０４は、記録ヘッド２２に対する記録データの供給制御を行うゲートアレイ（Ｇ．Ａ．）であり、インターフェイス１７００、ＣＰＵ１７０１、ＲＡＭ１７０３の間のデータ転送の制御も行う。１２は、記録ヘッド２２を主走査方向に移動させるためのキャリッジモータ、１７０９は、被記録媒体を副走査方向に搬送のための搬送モータである。１７０５は記録ヘッド２２を駆動するヘッドドライバ、１７０６および１７０７は、それぞれ搬送モータ１７０９およびキャリッジモータ１２を駆動するためのモータドライバである。
【００４０】
　インターフェイス１７００に記録信号が入ると、ゲートアレイ１７０４とＣＰＵ１７０１との間で記録信号がプリント用の記録データに変換される。そして、モータドライバ１７０６、１７０７が駆動されると共に、ヘッドドライバ１７０５に送られた記録データにしたがって、記録ヘッド２２が駆動されて記録が行われる。記録ヘッド２２は、ノズルを構成するインク吐出口からインク液滴を吐出させて、そのインクを被記録媒体上に付着させることによって画像を記録する。記録ヘッドにおけるインクの吐出方式の１つとしては、吐出口近傍に配備した発熱素子（電気熱変換体）に電気信号を印加することにより、インクに急峻な体積変化（気泡の発生）を伴う状態変化を生じさせ、この状態変化に基づく作用力によって、吐出口からインクを吐出させる方式がある。また、インクの吐出方式の他の１つとしては、圧電素子等（電気・機械変換素子）を用い、機械的変動によるインクの圧力変化によって、吐出口からインクを吐出させる方式がある。
【００４１】
　図４は、図２における記録装置のキャリッジ近傍部分の構成をより詳細に示した斜視図である。
【００４２】
　図４に示される記録ヘッド２２は、ブラック（Ｋ）、淡シアン（ＬＣ）、濃シアン（Ｃ）、淡マゼンタ（ＬＭ）、濃マゼンタ（Ｍ）、及びイエロー（Ｙ）の６色のインクを吐出する記録ヘッド２２Ｋ，２２ＬＣ，２２Ｃ，２２ＬＭ，２２Ｍ，２２Ｙから構成される。また、インクタンク２１は、記録ヘッド２２の夫々に供給する各色のインクを貯蔵するインクタンク２１Ｋ，２１ＬＣ，２１Ｃ，２１ＬＭ，２１Ｍ，２１Ｙから構成される。また、キャップ１４１は、記録ヘッド２２の夫々の吐出口形成面（インク吐出口が形成されている面）をキャップするために６つのキャップ１４１Ｋ，１４１ＬＣ，１４１Ｃ，１４１ＬＭ，１４１Ｍ，１４１Ｙによって構成されている。３は、被記録媒体１を副走査方向に搬送するための搬送ローラである。
【００４３】
　本例の場合は、記録ヘッド２２とインクタンク２１によってヘッドカートリッジが構成される。このヘッドカートリッジは、記録ヘッド２２とインクタンク２１が一体的に構成されるものでもよく、あるいは、それらが分離可能に構成されるものでもよい。
【００４４】
　図５は、記録ヘッド２２を吐出口２３側から見た図である。
【００４５】
　図５に示されているように、記録ヘッド２２の夫々には、１２８０個の吐出口２３が１２００ｄｐｉの記録密度に対応する間隔で列状に形成されている。これら６つの記録ヘッド２２は主走査方向に並ぶように配置される。各吐出口２３から吐出されるインクの吐出量は約４ｎｇである。
【００４６】
　図６は、図１中の画像処理部３１のブロック構成図である。
【００４７】
　図６において、４０は入力データ補正部であり、画像入力部３０から多値画像データ（例えば、１画素８ビット（２５６階調）で表現される多値画像データ）を入力し、既に量子化された画素で発生した誤差データを、現画素の画像データに加算することによって、入力画像データの補正を行う。４１は量子化部であり、入力データ補正部４０で補正された多値画像データを“Ｎ”値の階調値に量子化する。このＮ値は、入力解像度と出力解像度の関係で決定される。例えば、入力解像度３００ｄｐｉ、出力解像度６００ｄｐｉのときは、１画素８ビットの入力画像データに対して、出力データのドットは２×２の４ドットで１ブロックとなる。その１ブロックで表現可能な階調数は５値となる。したがって、量子化部２１からは、“０”、“６４”、“１２８”、“１９２”、“２５５”の５値に量子化された量子化値が出力される。夫々の量子化値は、階調値“０”、“１”、“２”、“３”、“４”に対応する。
【００４８】
　４４はドットパターン展開部であり、量子化部４１で量子化された階調値に基づいて、階調値毎に対応した複数個のドットパターンの中から出力に用いるドットパターンを選択する。選択した所望のドットパターンは、ドットパターン格納部４５から取得する。ドットパターン格納部４５には、階調値の夫々に対応した複数のドットパターンが格納されている。このドットパターン格納部４５は、ドットパターン展開部４４から入力されるドットパターン選択情報に基づいて、複数のドットパターンの中から所望のドットパターンを選択して、それをドットパターン展開部４４へ出力する。なお、ドットパターン格納部４５は、ＥＥＰＲＯＭなどの半導体メモリに設けられるが、本発明の画像記録装置においては、処理の高速化を考慮して、ＳＲＡＭなどの高速メモリに複写して用いてもよい。
【００４９】
　ドットパターン格納部４５に格納されているドットパターンは、本実施例装置では、各階調値毎に２×２ドットサイズのパターンをもっている。すなわち、図１４（ａ）〜（ｅ）に示すように、階調値が“０”、“１”、“２”、“３”、“４”の夫々に対して独立に２×２ドットサイズのドットパターンテーブルを有している。
【００５０】
　次に、以上の構成の記録装置における記録動作について説明する。
【００５１】
　インクはインクタンク２１から記録ヘッド２２に供給され、記録ヘッド２２は、主走査方向に移動しながら、画像信号に応じて記録紙１にインクを吐出する。これにより、記録ヘッド２２における吐出口２３の数に対応した幅Ｗ分の画像が記録される。この記録は、エンコーダ１６の読み取りタイミングにしたがい、画像信号に基づいて記録ヘッド２２を駆動して、記録紙１上にインク液滴を吐出、付着させることによって行われる。そして、１走査分（図７では、ｎスキャン目）の記録が終了した後、次の画像データを用いての次の走査（図７では、ｎ＋１スキャン目）を開始する前に、搬送ローラ対３を駆動して記録紙１を副走査方向に所定量Ｋだけ間欠的に搬送する。
【００５２】
　このように、１走査分の記録動作と所定量Ｋの記録紙１の搬送とを繰り返すことによって、記録紙１に記録を行う。
【００５３】
　図８は、記録ヘッド２２の吐出口２３と、その吐出口２３から吐出されるインクによって記録紙１上に形成されるドットＤの配置との関係の一例を示す図である。本実施例では、説明を簡単にするために、ドットパターンのサイズを２×２ドットとしているが、もちろん本発明で適用可能なドットパターンのサイズはこれに限定されるものではなく、他のサイズのドットパターンを用いてもよい。
【００５４】
　本実施例では、従来より一般に用いられている組織的ディザ法の階調パターンに対応するドットパターンとして、２×２ドットのドットパターンを用いる。本実施例は、記録ヘッドの１走査毎にドットパターンを変更させる。
【００５５】
　以下、本実施例におけるドットパターンについて具体的に説明する。
【００５６】
　図９（ｂ）〜（ｆ）は、図１３に示す階調パターンと、本実施例におけるドットパターンとを用いて、ハーフトーン濃度（デューティー５％、１０％、１５％、２５％）の画像を記録したときに使用（インク吐出）されるノズルの頻度を示す。ここでも、説明を簡単にするためと、効果の特徴を目立たせるために、図９（ａ）のように、２×２のドットマトリクス中に１ドットのみドットを配置するドットパターン、即ち、５値に量子化された階調値のうち階調値“１”を示すドットパターンを用いるものとする。なお、図９（ｂ）〜（ｆ）においてノズル使用（インク吐出）頻度を表す回数は、図１３の組織的ディザ法の階調パターンのサイズに応じた周期性をもって現れるため、階調パターンの１６×１６ドット領域を記録した際に使用されるノズルの使用回数（確率）である。
【００５７】
　前述した図１０（ｂ）〜（ｆ）の従来例のように、多種多様な画像を記録したという想定でハーフトーン濃度（デューティー５％、１０％、１５％、２５％）の画像を記録した場合には、図１０（ａ）のように２×２のドットマトリクスの左上に１ドットが位置するパターンのみが固定的に使用される。そのため、ハーフトーン濃度を高くしても、図１０（ｆ）のようにノズル使用頻度は１ノズルおきに均一となるだけであり、ノズル番号が奇数のノズルしか使用されない。したがって、使用頻度が高い特定ノズルの劣化が記録画像に強く反映されてしまう。ノズルの劣化は、例えば、ヨレと称されるインクの吐出方向のばらつきや、ショボと称されるインクの吐出量のばらつきや、遂にはインクの不吐出などを招く。
【００５８】
　図９（ｂ）〜（ｆ）の本実施例の場合には、図９（ａ）に示すように、階調値“１”のドットパターンとして、２×２のドットマトリクスの左上に１ドットが位置する第１のドットパターンと、２×２のドットマトリクスの右下に１ドットが位置する第２のドットパターンとを用いる。第１のドットパターンを用いた場合には、ノズル番号が奇数のノズルが使用され、第２のドットパターンを用いた場合には、ノズル番号が偶数のノズルが使用されることになる。このような第１，第２のドットパターンは、記録ヘッド２２が１走査する毎に入れ替えて用いる。その結果、ノズル番号が奇数と偶数のノズルからインクが吐出されて、記録ヘッド２２における全ノズルの使用頻度が均等化されることになる。
【００５９】
　なお、このようなドットパターンを用いた処理は、図６に示したドットパターン展開部４４とドットパターン格納部４５によって実行される。しかし、このような処理を専用の論理回路によって実現してもよく、また処理プログラムをＣＰＵが実行することによって実現してもよい。展開されたドットパターンはインクジェットプリンタに転送され、その指定されたドットパターンに基づいて、記録ヘッド２２がインクを吐出して記録を行う。
【００６０】
　このように、本実施例においては、量子化された階調値に対応したドットパターンに基づいて記録ヘッド２２からインクを吐出して記録を行う場合に、同じ階調値であってもインク吐出を行うノズルが同じノズルに集中しないように、同じ階調値に対しても複数のドットパターンを準備しておく。そして、同じ階調値に対して準備した複数のドットパターンを所定のタイミング（本実施例では、記録ヘッド２２の走査毎）で変更して、異なるドットパターンを選択的に用いる。その結果、使用ノズルを複数のノズルに渡って分散させることができる。これにより、特定の階調値の記録画像に対して、特定のノズルの特性が強く反映されないようにすることができる。例えば、記録画像に、特定ノズルの劣化による画質劣化の現象が発生することを低減することができる。ノズルが劣化した場合には、ヨレと称されるインクの吐出方向のばらつきや、ショボと称されるインクの吐出量のばらつきや、遂にはインクの不吐出が生じる。
【００６１】
　なお、以上の実施例において、ドットパターンを変更するタイミングは記録ヘッド２２の走査毎としたが、この構成によれば、上記特許文献１に開示の変更タイミングに比べ、ドットパターンをリアルタイムに切り換える必要がなく、ソフト的に書き変えることが可能となるため、ハード構成を簡略化できて本体コストを抑えられる点で好ましい。
【００６２】
　また、本実施例においては、ドットパターンの変更タイミングは走査毎に限定されるものではない。例えば、画像を記録する記録紙１の１ページの範囲内でドットの配置を変更できない場合などは、ページ毎にドットパターンの変更を行うことにより、ページ数が増えるにしたがって記録ヘッド２２における全ノズルの使用頻度を均等化することができる。また、同様に、ユーザによるジョブ単位や、記録部数単位でドットパターンの変更を行っても、使用ノズルを均等化することができる。
【００６３】
　ドットパターンをページ単位で変更した場合には、ドットパターンを切り換えることによる若干の画質の違いがページ単位となるのでより目立ちにくくなる。また、ドットパターンをジョブ単位で変更した場合には、ドットパターンを切り換えることによる若干の画質の違いがジョブ単位となるのでより目立ちにくくなる。また、ドットパターンを記録部数単位で変更した場合には、ドットパターンを切り換えることによる若干の画質の違いが記録部数単位となるのでより目立ちにくくなる。
【００６４】
　また、本実施例において、ドットパターンは２×２ドットのドットパターンとしたが、それに限定されるものではない。例えば、ドットマトリクス内において使用ノズルを分散させるために、階調値“１”のドットパターンとして図１６（Ａ）のように２×２ドットのドットパターンを４個並べたドットマトリクスを用いる場合にも、ノズル使用（インク吐出）頻度を表す回数が、図１３のような組織的ディザ法の階調パターンのサイズに応じた周期性をもって現れるため、使用ノズルが特定のノズルに集中するおそれがある。この場合にも、本実施例の場合と同様に、所定のタイミング毎に、図１６（Ａ）のドットパターンと、それとは異なる図１６（Ｂ）のドットパターンとを入れ替えて用いることにより、使用ノズルを均等化することができる。
【００６５】
　結局、本実施例においては、従来より一般に用いられている組織的ディザ法の階調パターンに対応するドットパターンを用いる場合に、そのドットパターンを記録ヘッド２２の１走査毎に変更することにより、近年のインクジェット装置で問題となっている使用ノズルの偏りによる画像劣化を解決することができた。
【００６６】
　（他の実施形態）
　前述の実施例では、従来より一般に用いられている組織的ディザ法の階調パターンに対応するドットパターンを用いる場合に、そのドットパターンを記録ヘッド２２の１走査毎に変更した。ドットパターンの変更タイミングは、前述したように、記録走査単位、ページ単位、記録ジョブ単位、または記録部数単位のいずれであってもよい。本実施例では、このようなドットパターンの変更に加え、更に、記録紙の１ページ毎に記録ヘッド２２のノズルと記録データとの対応関係を変更する。これにより、記録画像のハーフトーン濃度が薄い場合においても、記録ヘッド２２における全ノズルの使用頻度をより確実に均等化させることができる。また、本実施例において記録ヘッド２２のノズルと記録データとの対応関係を変更するタイミングは、ページ単位の他、記録ジョブ単位または記録部数単位であってもよく、さらに、その変更のタイミングはドットパターンの変更タイミングと合わせることもできる。また、本実施例では、前述の実施例と組み合わせることなく、記録紙の１ページ毎に記録ヘッド２２のノズルと記録データとの対応関係を変更するだけでも、記録ヘッド２２における全ノズルの使用頻度をより確実に均等化させることができる。
【００６７】
　以下、本実施例について具体的に説明する。
【００６８】
　図１１（ｂ）〜（ｆ）は、本実施例において、ハーフトーン濃度（デューティー５％、１０％、１５％、２５％）の画像を記録したときに使用（インク吐出）されるノズルの頻度を示す。前述の実施例と同様に、ここでも、説明を簡単にするためと、効果の特徴を目立たせるために、図１１（ａ）のように、２×２のドットマトリクス中に１ドットのみドットを配置するドットパターン、即ち、５値に量子化された階調値のうち階調値“１”を示すドットパターンを用いるものとする。なお、図１１（ｂ）〜（ｆ）においてノズル使用（インク吐出）頻度を表す回数は、図１３の組織的ディザ法の階調パターンのサイズに応じた周期性をもって現れるため、階調パターンの１６×１６ドット領域を記録した際に使用されるノズルの使用回数（確率）である。
【００６９】
　図１０（ｂ）〜（ｆ）の従来例の場合のみならず、図９（ａ）〜（ｆ）の実施例のように記録ヘッド２２の１走査毎にドットパターンを変更して使用ノズルを均等化させた場合においても、ハーフトーン濃度の薄い画像を記録するときに、使用ノズルが特定のノズルに集中する傾向は回避できない。その傾向は、組織的ディザ法の階調パターンにおけるしきい値によって生じるからである。
【００７０】
　本実施例では、記録ヘッド２２における全ノズルの使用頻度を確実に均等化させるために、図９（ａ）〜（ｆ）の実施例のように記録ヘッド２２の１走査毎に第１，第２のドットパターンを変更する処理に加え、更に図１２（ａ）および（ｂ）に示すように、記録紙の１ページ毎に、記録ヘッド２２における使用ノズルの位置を変更する処理も行なう。本実施例では、説明を簡単にするため、図７の場合と同様の記録法、つまり、記録ヘッド２２の１回の走査によって、記録ヘッド２２における吐出口２３の数に対応した幅Ｗ分（１２８０ノズル分の幅）の画像を完成させる１パス記録法を採用した。
【００７１】
　まず、１ページ目の画像を記録する場合、第１走査では、通常通り、記録ヘッド２２の１２８０ノズル分の幅Ｗの記録を行い、その後の第２走査目以降は、第１走査目の記録画像に順次連続するように、記録ヘッド２２の１２８０ノズル分の幅Ｗの記録を行う。これによって、記録紙の１ページ目に画像を記録する。
【００７２】
　次に、２ページ目の画像を記録する場合、第１走査では、記録ヘッド２２の幅Ｗ分の全１２８０ノズル内、上端側の２ノズル分の画像データとしてヌル（ＮＵＬＬ）データ（インクを吐出しないデータ）を追加し、その追加した２ノズル分だけ、ノズルとの対応関係において画像データを下方にずらす。そして、上端側２ノズル分の幅Ｗ１の記録はせずに、残り１２７８ノズル分の幅（Ｗ−Ｗ１）の記録を行う。したがって、図１２中の上側から下側に向かってノズル番号１〜１２８０を付した場合、第１走査では、ノズル番号１〜１２７８のノズルに対応する本来の画像データがノズル番号３〜１２８０のノズルによって対応付けられることになり、ノズル番号１２７９，１２８０のノズルに対応する本来の画像データは、次の第２走査時に、ノズル番号１，２のノズルに対応付けられる。したがって、第２走査目以降は、ノズル番号１，２のノズルに対して、前の走査時のノズル番号１２７９，１２８０のノズルに対応する画像データが対応付けられる。このように、第２走査目以降は、第１走査目の記録画像に順次連続するように、通常通り、１２８０ノズル分の幅Ｗの記録を行う。これによって、記録紙の２ページ目に画像を記録する。
【００７３】
　次に、３ページ目の画像を記録する場合、第１走査では、記録ヘッド２２の幅Ｗ分の全１２８０ノズル内、上端側の４ノズル分の画像データとしてヌルデータ（インクを吐出しないデータ）を追加し、その追加した４ノズル分だけ、ノズルとの対応関係において画像データを下方にずらす。そして、上端側４ノズル分の幅の記録はせずに、残り１２７６ノズル分の幅の記録を行う。したがって、第１走査では、ノズル番号１〜１２７６のノズルに対応する本来の画像データがノズル番号５〜１２８０のノズルによって対応付けられることになり、ノズル番号１２７７〜１２８０のノズルに対応する本来の画像データは、次の第２走査時に、ノズル番号１〜４のノズルに対応付けられる。したがって、第２走査目以降は、ノズル番号１〜４のノズルに対して、前の走査時のノズル番号１２７７〜１２８０のノズルに対応する画像データが対応付けられる。このように、第２走査目以降は、第１走査目の記録画像に順次連続するように、通常通り、１２８０ノズル分の幅Ｗの記録を行う。これによって、記録紙の３ページ目に画像を記録する。
【００７４】
　以降同様にして、４，５，６，７ページ目の画像記録の第１走査では、上端側の６，８，１０，１２ノズル分の画像データとしてヌルデータを追加し、その追加した６，８，１０，１２ノズル分だけ画像データを下方にずらして、１２７４，１２７２，１２７０，１２６８ノズル分の幅の記録を行う。そして、８ページ目の画像記録の第１走査では、上端側の１４ノズル分の画像データとしてヌルデータを追加し、その追加した１４ノズル分だけ画像データを下方にずらして、１２６６ノズル分の幅の記録を行う。
【００７５】
　本実施例では、このような１〜８ページ目の画像記録を１周期として、記録動作を繰り返す。つまり、１ページ分の画像を記録する毎にノズルと画像データとの対応関係を２ノズル分ずつ変更し、８ページ分の画像を記録するまでの７回の変更により、ノズルと画像データとの対応関係が計１４（＝２×７）ノズル分をずらされることになる。したがって、１〜８ページ目の画像記録において、ノズルと画像データとの対応関係のずれ量が０，２，４，６，８，１０，１２，１４ノズル分ずつ変更され、これを１周期として９ページ目以降の画像記録を繰り返すことになる。そのため、ノズルと画像データとの対応関係のずれ量は、必然的に、図１３および図１７のような諧調パターンの副走査方向におけるサイズＬ（＝１６）未満となる。また、このように記録紙の１ページ毎に記録ヘッド２２のノズルと記録データとの対応関係を変更することにより、第１走査目において追加されたヌルデータ分だけ、記録紙１の先端部に画像が記録されない余白が生じることになる。このようなヌルデータの追加によって生じる余白は、最大１４ノズルによる１４ラスター分のわずかな幅であるため、画像の記録位置のずれはそれほど目立たないが、ずれはないほうが好ましい。そこで、その画像の記録位置のずれを完全になくすために、ヌルデータ分の余白を記録紙１の先端部における余白領域内に設定すればよい。例えば、第１走査目において、記録紙１の先端部における余白領域内を通過する端部ノズルに対してヌルデータを割り当てることにより、ヌルデータの追加により生じる余白を記録紙１の先端部における余白領域内に設定することができる。その実現手法としては、追加されるヌルデータの量に基づいて、記録開始位置までの頭出し動作における記録紙１の搬送量をページ毎に制御して、ヌルデータが割り当てられるノズルを記録紙１の先端部における余白領域内に位置させる、といった手法が用いられる。より具体的には、余白領域の幅がページ毎で同じとなるように、追加されるヌルデータの量が増加するに伴って上記頭出し動作における搬送量を少なく制御するのである。
【００７６】
　この結果、図９（ｂ）〜（ｆ）におけるノズルの使用頻度を図１１（ｂ）〜（ｆ）のように分散して、記録ヘッド２２における全ノズルの使用頻度を確実に均等化させることができる。例えば、図９（ｂ）の場合には、１６ノズル中の４つのノズル（ノズル番号１，２，９，２０）が１回ずつ計４回使用されているのに対し、図１１（ｂ）の場合には、計４回のノズルの使用が１６ノズルに分散され、結果的に１ノズル当たりの使用頻度が０．２５と均等化される。
【００７７】
　このようにノズルの使用頻度を均等化することにより、文書などの文字や挿絵程度の濃度の薄い記録画像などに対しても、特定のノズルの特性が強く反映することを回避することができる。また、特定ノズルの劣化による記録画質劣化の発生を低減することができる。ノズルが劣化した場合には、例えば、ヨレと称されるインクの吐出方向のばらつきや、ショボと称されるインクの吐出量のばらつきや、遂にはインクの不吐出などが生じるおそれがある。
【００７８】
　なお、本実施例では、第１走査目における記録ヘッドの使用ノズルの位置を変更するタイミングを記録画像の１ページ毎としたが、それに限定されるものではない。例えば、画像を記録する記録紙の１ページ毎に、記録ヘッドの第１走査目の使用ノズルの位置を変更できない場合などは、記録部数単位で記録ヘッドの第１走査目の使用ノズルの位置を変更を行ってもよい。その場合には、長期間に渡る記録が増えるにしたがって、記録ヘッドにおける全ノズルの使用頻度が均等化する。
【００７９】
　本実施例では、従来より一般に用いられている組織的ディザ法の階調パターンに対応したドットパターンとして、２×２ドットのドットパターンを用い、そして記録ヘッドの１走査毎にドットパターンを変更することに加え、更に、記録画像の１ページ毎に記録ヘッドの第１走査目の使用ノズルの位置を変更した。これにより、近年のインクジェット記録装置において問題となっている使用ノズルの偏りによる画像劣化を解決することができた。
【００８０】
　また、本実施例では、２×２ドットのドットパターンを用いたため、記録ヘッドの第１走査目の使用ノズルの位置は２ノズル単位で変更したが、これに限定されるわけではない。記録ヘッドの第１走査目の使用ノズルの位置は、ドットパターンの縦サイズに合わせてもよく、また１ノズル単位で変更しても同様の効果を得ることができる。
【００８１】
　また、ノズルと画像データとの対応関係をずらすためには、本実施例のようにヌルデータを用いる他、所定数のノズルの機能を不能として、その不能ノズル分だけ画像データをずらすようにしてもよい。要は、ノズルと画像データとの対応関係をずらすことができればよい。また、ノズルと画像データの対応関係をずらす時期は、ページ単位の他、記録ジョブ単位または記録部数単位であってもよい。また、上述したように、ドットパターンの変更タイミングは、記録走査単位、ページ単位、記録ジョブ単位、または記録部数単位のいずれであってもよい。具体的な記録動作の形態の一例としては、ヌルデータを用いて、ページ単位でノズルと画像データとの対応関係をずらし、かつページ単位でドットパターンを変更する形態を挙げることができる。
【００８２】
　ノズルと画像データとの関係をずらし、かつドットパターンをページ単位で変更した場合には、ノズルと画像データとの関係およびドットパターンの切り換えによる若干の画質の違いがページ単位となるのでより目立ちにくくなる。また、ノズルと画像データとの関係をずらし、かつドットパターンをジョブ単位で変更した場合には、ノズルと画像データとの関係およびドットパターンの切り換えによる若干の画質の違いがジョブ単位となるのでより目立ちにくくなる。また、ノズルと画像データとの関係をずらし、かつドットパターンを記録部数単位で変更した場合には、ノズルと画像データとの関係およびドットパターンの切り換えによる若干の画質の違いが記録部数単位となるのでより目立ちにくくなる。
【００８３】
　（その他）
　なお、本発明は紙や布、不織布、ＯＨＰフィルム等の記録媒体を用いる記録装置全てに適用でき、具体的な適用装置は、プリンタ、複写機、ファクシミリなどの事務機や大量生産機等を挙げることができる。
【００８４】
　また、以上の実施形態において、記録ヘッドから吐出される液滴はインクであるとして説明し、さらにインクタンクに収容される液体はインクであるとして説明したが、その収容物はインクに限定されるものではない。例えば、記録画像の定着性や耐水性を高めたり、その画像品質を高めたりするために記録媒体に対して吐出される処理液のようなものがインクタンクに収容されていても良い。
【００８５】
　また、以上の実施形態は、特にインクジェット記録方式の中でも、インク吐出を行わせるために利用されるエネルギーとして熱エネルギーを発生する手段（例えば電気熱変換体やレーザ光等）を備え、前記熱エネルギーによりインクの状態変化を生起させる方式を用いることにより記録の高密度化、高精細化が達成できる。
【００８６】
　その代表的な構成や原理については、例えば、米国特許第４７２３１２９号明細書、同第４７４０７９６号明細書に開示されている基本的な原理を用いて行うものが好ましい。この方式はいわゆるオンデマンド型、コンティニュアス型のいずれにも適用可能であるが、特に、オンデマンド型の場合には、液体（インク）が保持されているシートや液路に対応して配置されている電気熱変換体に、記録情報に対応していて膜沸騰を越える急速な温度上昇を与える少なくとも１つの駆動信号を印加することによって、電気熱変換体に熱エネルギーを発生せしめ、記録ヘッドの熱作用面に膜沸騰を生じさせて、結果的にこの駆動信号に１対１で対応した液体（インク）内の気泡を形成できるので有効である。この気泡の成長、収縮により吐出用開口を介して液体（インク）を吐出させて、少なくとも１つの滴を形成する。この駆動信号をパルス形状をすると、即時適切に気泡の成長収縮が行われるので、特に応答性に優れた液体（インク）の吐出が達成でき、より好ましい。
【００８７】
　このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
【００８８】
　記録ヘッドの構成としては、上述の各明細書に開示されているような吐出口、液路、電気熱変換体の組み合わせ構成（直線状液流路または直角液流路）の他に熱作用面が屈曲する領域に配置されている構成を開示する米国特許第４５５８３３３号明細書、米国特許第４４５９６００号明細書を用いた構成も本発明に含まれるものである。加えて、複数の電気熱変換体に対して、共通するスロットを電気熱変換体の吐出部とする構成を開示する特開昭５９−１２３６７０号公報や熱エネルギーの圧力波を吸収する開口を吐出部に対応させる構成を開示する特開昭５９−１３８４６１号公報に基づいた構成としても良い。
【００８９】
　さらに、記録装置が記録できる最大記録媒体の幅に対応した長さを有するフルラインタイプの記録ヘッドとしては、上述した明細書に開示されているような複数記録ヘッドの組み合わせによってその長さを満たす構成や、一体的に形成された１個の記録ヘッドとしての構成のいずれでもよい。
【００９０】
　加えて、上記の実施形態で説明した記録ヘッド自体に一体的にインクタンクが設けられたカートリッジタイプの記録ヘッドのみならず、装置本体に装着されることで、装置本体との電気的な接続や装置本体からのインクの供給が可能になる交換自在のチップタイプの記録ヘッドを用いてもよい。
【００９１】
　また、以上説明した記録装置の構成に、記録ヘッドに対する回復手段、予備的な手段等を付加することは記録動作を一層安定にできるので好ましいものである。これらを具体的に挙げれば、記録ヘッドに対してのキャッピング手段、クリーニング手段、加圧あるいは吸引手段、電気熱変換体あるいはこれとは別の加熱素子あるいはこれらの組み合わせによる予備加熱手段などがある。また、記録とは別の吐出を行う予備吐出モードを備えることも安定した記録を行うために有効である。
【００９２】
　さらに、記録装置の記録モードとしては黒色等の主流色のみの記録モードだけではなく、記録ヘッドを一体的に構成するか複数個の組み合わせによってでも良いが、異なる色の複色カラー、または混色によるフルカラーの少なくとも１つを備えた装置とすることもできる。
【００９３】
　以上説明した実施の形態においては、インクが液体であることを前提として説明しているが、室温やそれ以下で固化するインクであっても、室温で軟化もしくは液化するものを用いても良く、あるいはインクジェット方式ではインク自体を３０℃以上７０℃以下の範囲内で温度調整を行ってインクの粘性を安定吐出範囲にあるように温度制御するものが一般的であるから、使用記録信号付与時にインクが液状をなすものであればよい。
【００９４】
　加えて、積極的に熱エネルギーによる昇温をインクの固形状態から液体状態への状態変化のエネルギーとして使用せしめることで積極的に防止するため、またはインクの蒸発を防止するため、放置状態で固化し加熱によって液化するインクを用いても良い。いずれにしても熱エネルギーの記録信号に応じた付与によってインクが液化し、液状インクが吐出されるものや、記録媒体に到達する時点では既に固化し始めるもの等のような、熱エネルギーの付与によって初めて液化する性質のインクを使用する場合も本発明は適用可能である。このような場合インクは、特開昭５４−５６８４７号公報あるいは特開昭６０−７１２６０号公報に記載されるような、多孔質シート凹部または貫通孔に液状または固形物として保持された状態で、電気熱変換体に対して対向するような形態としてもよい。本発明においては、上述した各インクに対して最も有効なものは、上述した膜沸騰方式を実行するものである。
【００９５】
　さらに加えて、本発明に係る記録装置の形態としては、コンピュータ等の情報処理機器の画像出力端末として一体または別体に設けられるものの他、リーダ等と組み合わせた複写装置、さらには送受信機能を有するファクシミリ装置の形態を取るものであっても良い。
【００９６】
　なお、本発明は、複数の機器（例えばホストコンピュータ、インターフェイス機器、リーダ、プリンタなど）から構成されるシステムに適用しても、一つの機器からなる装置（例えば、複写機、ファクシミリ装置など）に適用してもよい。
【００９７】
　また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００９８】
　さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【図面の簡単な説明】
【００９９】
【図１】本発明の実施形態における画像処理システムの概略構成を示すブロック図である。
【図２】本発明を適用可能なインクジェット記録装置の外観斜視図である。
【図３】図２の記録装置における制御系のブロック構成図である。
【図４】図２の記録装置におけるキャリッジ近傍部分の斜視図である。
【図５】図４における記録ヘッドを吐出口側から見た図である。
【図６】図１における画像処理部のブロック構成図である。
【図７】記録ヘッドの記録幅と、その記録走査との関係の説明図である。
【図８】記録ヘッドのノズルと、そのノズルからの吐出インクによって形成されるドットの配置との関係の説明図である。
【図９】（ａ）は、本発明の実施形態において使用される２つのドットパターンの説明図、（ｂ）〜（ｆ）は、（ａ）の２つのドットパターンを用いて異なる濃度の画像を記録したときのノズルの使用頻度の説明図である。
【図１０】（ａ）は、従来例において使用される１つのドットパターンの説明図、（ｂ）〜（ｆ）は、（ａ）の１つのドットパターンを用いて異なる濃度の画像を記録したときのノズルの使用頻度の説明図である。
【図１１】（ａ）は、本発明の他の実施形態において使用される２つのドットパターンの説明図、（ｂ）〜（ｆ）は、（ａ）の２つのドットパターンを用いかつノズルと画像データとの対応関係を変更して異なる濃度の画像を記録したときのノズルの使用頻度の説明図である。
【図１２】（ａ）は、本発明の他の実施形態において１ページ目を記録する時の記録ヘッドとその走査記録との関係の説明図、（ｂ）は、本発明の他の実施形態において２ページ目を記録する時の記録ヘッドとその走査記録との関係の説明図である。
【図１３】組織的ディザ法の階調パターンの一例の説明図である。
【図１４】（ａ）〜（ｅ）は、階調値０〜４のドットパターンの一例の説明図である。
【図１５】従来装置にて長期間使用された記録ヘッドに周期性をもって現れる劣化ノズルの説明図ある。
【図１６】（Ａ）および（Ｂ）は、２×２ドットのドットパターンを４つ並べて用いる階調値１の異なるドットパターンの説明図である。
【図１７】従来例において使用される階調パターンと記録領域とノズルの使用頻度との対応関係の説明図である。
【符号の説明】
【０１００】
　１　記録紙
　３　搬送ローラ対
　４　ベルト
　６　ガイドシャフト
　１１　キャリッジ
　１２　キャリッジモータ
　１３　フレキシブルケーブル
　１５　カセット
　１６　エンコーダ
　２１　インクタンク
　２２　記録ヘッド
　２３　吐出口
　３０　画像入力部
　３１　画像処理部
　３２　画像出力部
　４０　入力データ補正部
　４１　量子化部
　４４　ドットパターン展開部
　４５　ドットパターン格納部
　１４１　キャップ
　１４３　ワイパブレード
　１７００　インターフェース
　１７０１　ＣＰＵ
　１７０２　ＲＯＭ
　１７０３　ＲＡＭ
　１７０４　Ｇ．Ａ．
　１７０５　ヘッドドライバ
　１７０６，１７０７　モータドライバ
　１７０９　搬送モータ
【図１】
2004066821.tif 000003
【図２】
2004066821.tif 000004
【図３】
2004066821.tif 000005
【図４】
2004066821.tif 000006
【図５】
2004066821.tif 000007
【図６】
2004066821.tif 000008
【図７】
2004066821.tif 000009
【図８】
2004066821.tif 000010
【図９】
2004066821.tif 000011
【図１０】
2004066821.tif 000012
【図１１】
2004066821.tif 000013
【図１２】
2004066821.tif 000014
【図１３】
2004066821.tif 000015
【図１４】
2004066821.tif 000016
【図１５】
2004066821.tif 000017
【図１６】
2004066821.tif 000018
【図１７】
2004066821.tif 000019